(57)【要約】      （修正有）【課題】操作性等に問題のあるピロウを使用しない構成のカプセルでありながら、より高い保存性をも有する歯牙修復材用カプセルを提供する。【解決手段】粉体成分Ａが収納される混合区画室１ａを有するシリンダー形状で先端に混合練和物の出口穴を形成させる第１開口部１ｃが設けられているカプセル本体１と、液体成分Ｂが収納される先端に液体成分の出口穴を形成させる第２開口部が設けられており、前記カプセル本体に嵌合している液体カップ２と、前記液体カップの第２開口部と前記カプセル本体の第１開口部とを押し破るための棒状突起３ａを有しており液体カップ内のシリンダー形状部分に嵌合しているプランジャー３と、カプセル本体の先端部に接続されているノズル４とから成る歯牙修復材用カプセルにおいて、液体カップがシクロオレフィン系非結晶ポリマーと高密度ポリエチレンとの混合物からなることを特徴とする歯牙修復材用カプセルとする。【選択図】図２
2007136012.tif 000002
【特許請求の範囲】
【請求項１】
粉体成分(Ａ)が収納される混合区画室(1a)を有するシリンダー状であってその先端部中心軸上に混合練和物(Ｃ)の出口穴(1b)を形成させる第１開口形成部(1c)が設けられているカプセル本体(１)と、内部に液体成分(Ｂ)が収納される液体成分収納室(2a)を有しその先端部中心軸上に液体成分(Ｂ)の出口穴(2b)を形成させる第２開口形成部(2c)が設けられており、前記カプセル本体(１)の混合区画室(1a)を形成するシリンダー状部分に嵌合している液体カップ(２)と、前記液体カップ(２)の第２開口形成部(2c)と前記カプセル本体(１)の第１開口形成部(1c)とを押し破るための棒状突起(3a)を有しており液体カップ(２)内のシリンダー状部分に嵌合しているプランジャー(３)と、カプセル本体(１)の先端部に接続されているノズル(４)とから成る歯牙修復材用カプセルにおいて、
液体カップ（２）がシクロオレフィン系非結晶ポリマーと高密度ポリエチレンとの混合物からなることを特徴とする歯牙修復材用カプセル。
【請求項２】
シクロオレフィン系非結晶ポリマーと高密度ポリエチレンとの混合比が重量で３：７〜７：３である請求項1に記載の歯牙修復材用カプセル。
【発明の詳細な説明】
【技術分野】
【０００１】
本発明は、歯科治療分野での歯牙修復のための充填，合着，裏装，その他の用途において、粉体成分と液体成分との２成分から成る歯科修復用材料を混合練和した後に直ちに患者の修復すべき部位に投与することが可能な歯牙修復材用カプセルに関するものである。
【背景技術】
【０００２】
一般に歯牙の修復には歯牙修復用材料が用いられるが、この歯牙修復用材料としては通常混合練和によって反応する粉体成分と液体成分との２成分系の歯科用セメントと通称される材料が用いられている。従来、この２成分系の歯牙修復用材料は粉体成分と液体成分とをその都度適宜計量して混合練和して使用されていた。近年、粉体成分と液体成分との計量作業と混合練和した後の歯牙修復用材料を修復すべき部位に投与するためのシリンジ内へ収納する作業との省略を目的として、予めこれら粉体成分と液体成分との一定量を計量してそれぞれ隔離状態で収納しておき、使用前にその隔離状態を解除させて歯科カプセル用ミキサー等の専用装置で機械的に混合練和し、この混合練和物をカプセルの先端に配備されているノズルを介して歯牙の窩洞等の修復すべき部位に直接押し出して投与する歯牙修復材用カプセルが開発された。
【０００３】
歯牙修復材用カプセルの構成としては、２成分のうち粉体成分は容器本体内の混合区画室に収納し、もう一方の液体成分は金属箔または樹脂と金属箔とをラミネートしたものから成るシートフィルムで包んだ液体用パック（ピロウ）に収納されており、このピロウは予め本体側の強度を低めに設定され容器本体の先端側に容器本体に螺合されるキャップで取り付けられていて、使用時にはキャップを容器本体に螺合させ移動させるとピロウの容器本体側のシートが破れ、容器本体先端の中心軸上に設けた開口部を通じて液体成分が混合区画室内に導入されて粉体成分と混合練和の準備が整うようになっている（例えば、特許文献１参照。）。歯科カプセル用ミキサー等を用いた混合練和後はキャップの中心軸延長線上に設けられたノズル内にセットされていた貫通ロッドを押し込み、キャップ側即ちノズル側のピロウのシートを貫通ロッドで突き破って混合練和物の排出口を作成した後に貫通ロッドを取り除いて容器本体後端部の内部にセットされているピストンを容器本体先端部側に移動させ、混合区画室内の混合練和物をノズルを介して排出させる。
【０００４】
しかし、このような構造においては、液体成分を収納しているピロウの配置位置が本体の混合区画室先端部とノズルとの間の第二の隔室に位置するため、キャップの移動によるピロウの押し潰しが不十分となることがありピロウ内に液体成分が残ってしまい、混合練和物の排出時に粉成分と液体成分とが十分混合されない状態で押し出されて所定の性能が得られない虞があり、ピロウの一部が液体成分中に混入する虞もある。また、操作においても混合練和物の排出時にはピロウの強度の大きい方のシートに貫通ロッドを押し込んで突き破った後にそのロッドを排出前に取り除かなければならないので操作が煩雑である等の欠点もあった。
【０００５】
これらの欠点を解消したカプセルとして、本出願人は、粉体成分が収納される混合区画室を有するシリンダー形状であってその先端部中心軸上に混合練和物の出口穴を形成させる第１開口形成部が設けられているカプセル本体と、内部に液体成分が収納される液体カップを有しその先端部中心軸上に液体成分の出口穴を形成させる第２開口形成部が設けられており、前記カプセル本体の混合区画室を形成するシリンダー形状部分に嵌合している液体カップと、前記液体カップの第２開口形成部と前記カプセル本体の第１開口形成部とを押し破るための棒状突起を有しており液体カップ内のシリンダー形状部分に嵌合しているプランジャーと、カプセル本体の先端部に接続されているノズルとから成る歯牙修復材用カプセルを提案した（特許文献２参照。）。
【０００６】
このカプセルは液体成分を収納するのに前述したアルミ箔等から成るピロウを使用しないので、従来のように押圧破裂により生じるピロウの破断片が歯牙修復材に混入するのも防止でき、ピロウを押圧破裂させるための専用治具を必要としないばかりかノズル引起しの操作も必要もない利点がある。
【０００７】
このカプセルの液体カップを構成している部品は成形性の良さと強度から高密度ポリエチレンやポリプロピレン等が使用されている。そのため使用時の操作性やカプセルの成型性は優れているものの、従来のアルミ箔等の収容する液体成分の保存性に優れたピロウを使用しないことが欠点となってしまう。即ち、高密度ポリエチレンやポリプロピレンから成る液体カップでは収容している液体成分中の水の一部が液体カップから拡散し隣接するカプセル本体中の粉成分を劣化させてしまい、混合後のペーストの押し出し量が減少してしまったり、使用時のセメントの物性が低下してしまう問題が起きてしまう。
【０００８】
【特許文献１】特開昭６２−２６８５５５号公報
【特許文献２】特開２００２−１９１６２２号公報
【発明の開示】
【発明が解決しようとする課題】
【０００９】
そこで本発明は、操作性に優れた液体カップを用いた構成のカプセルでありながら、高い保存性をも有する歯牙修復材用カプセルを提供することを課題とする。
【課題を解決するための手段】
【００１０】
本発明者は前記課題を解決するために鋭意検討した結果、歯牙修復材用カプセルの液体カップを従来の高密度ポリエチレンやポリプロピレンに代えて、より気密性の高いシクロオレフィン系非結晶ポリマーを利用し、これに射出成形のための優れた成形性を与えるために高密度ポリエチレンを混合した材料を用いると、従来の歯牙修復材用カプセルの問題点を全て解決可能であることを究明して本発明を完成した。
【００１１】
即ち本発明は、粉体成分が収納される混合区画室を有するシリンダー形状であってその先端部中心軸上に混合練和物の出口穴を形成させる第１開口形成部が設けられているカプセル本体と、内部に液体成分が収納される液体成分収納室を有しその先端部中心軸上に液体成分の出口穴を形成させる第２開口形成部が設けられており、前記カプセル本体の混合区画室を形成するシリンダー形状部分に嵌合している液体カップと、前記液体カップの第２開口形成部と前記カプセル本体の第１開口形成部とを押し破るための棒状突起を有しており液体カップ内のシリンダー形状部分に嵌合しているプランジャーと、カプセル本体の先端部に接続されているノズルとから成る歯牙修復材用カプセルにおいて、液体カップがシクロオレフィン系非結晶ポリマーと高密度ポリエチレンとの混合物からなることを特徴とする歯牙修復材用カプセルである。
【００１２】
また本発明においては、シクロオレフィン系非結晶ポリマーと高密度ポリエチレンとの混合比が重量で３：７〜７：３であることが好ましい歯牙修復材用カプセルである。
【発明の効果】
【００１３】
本発明に係る歯牙修復材用カプセルは、操作性に優れた液体カップを用いた構成のカプセルでありながら、高い保存性をも有する歯牙修復材用カプセルである。
【発明を実施するための最良の形態】
【００１４】
以下、図面により本発明に係る歯牙修復材用カプセルの実施例について詳細に説明する。図１は本発明に係る歯牙修復材用カプセルの一実施例の説明用側断面図、図２は図１の歯牙修復材用カプセルにおける混合練和開始状態の説明用側断面図、図３は図１の歯牙修復材用カプセルにおける混合練和物の押出し状態を示す説明用側断面図である。
【００１５】
図面中、１は一体成形されたシリンダー形状の合成樹脂製のカプセル本体である。その内部には粉体成分Ａが予め収納されていて液体成分Ｂが流入せしめられてきた際に粉体成分Ａと液体成分Ｂとを混合練和させるための混合区画室1aを備えており、その先端部中心軸上に粉体成分Ａと液体成分Ｂとを混合練和させた混合練和物Ｃの出口穴1bを形成させる第１開口形成部1cが設けられており、先端部の外面には後述するノズル４と対応する形状を有しノズル４が接続されている。なお、このカプセル本体１は後端部近辺の外周側面にアプライヤー係合溝1fが刻設されていることが好ましく、更に混合区画室1a内の粉体成分Ａの特性を損なわない樹脂で構成されていることが好ましい。また、カプセル本体１を構成する素材である合成樹脂は成形性や強度が必要十分であれば従来と同じく高密度ポリエチレンやポリプロピレンであっても良いし、シクロオレフィン系非結晶ポリマーと高密度ポリエチレンとの混合物であっても良い。
【００１６】
２はシリンダー形状に一体成形された合成樹脂製の液体カップ２である。その内部に液体成分Ｂが収納される液体成分収納室2aを有し、先端部中心軸上に液体成分Ｂの出口穴2bを形成させる第２開口形成部2cが設けられている。液体カップ２においては前記カプセル本体１の混合区画室1aを形成するシリンダー形状部分に嵌合しており後端部近傍の外側面には前記第２開口形成部2cを押し破って液体成分Ｂの出口穴2bを形成させる際には液体カップ２がカプセル本体１内へ簡単に滑り込まないようにするが大きな力を作用させた場合には液体カップ２がカプセル本体１内へ入り込むことを阻害しない大きさの凸状ストッパー2dが設けられていることが好ましい。この液体カップ２は内部に収納された液体成分Ｂの保存性を高めるためにシクロオレフィンとエチレンとを含む非結晶コポリマーと高密度ポリエチレンとの混合物により構成されていることが必要である。
【００１７】
本発明で用いるシクロオレフィン系非結晶ポリマーは、ポリマー中にシクロオレフィン構造を含むポリマーであれば特に制限無く使用可能であり、構造中にノルボルナン環を有するシクロオレフィンとエチレンとの非結晶性コポリマーであっても良いし、ノルボルネン環の開環重合により作製されたシクロオレフィン系の非結晶性ポリマーであっても良い。本発明ではこれらのシクロオレフィン系非結晶ポリマーを高密度ポリエチレンと混合して用いる。このシクロオレフィン系非結晶ポリマーと混合されて使用される高密度ポリエチレンはその密度が0.941〜0.965 g/cm3のポリエチレンであることが好ましい。高密度ポリエチレンと混合することにより優れた射出成形性を与えることができ、特にシクロオレフィン系非結晶ポリマーと高密度ポリエチレンとの混合比が重量で３：７〜７：３、より好ましくは４：６〜６：４であると保存性と射出成形性を最も良い状態で得ることが可能であるから好ましい。
【００１８】
構造中にノルボルナン環を有するシクロオレフィンとエチレンとを含む非結晶性のコポリマーとしては、シクロオレフィンとエチレンとのブロック共重合体であることが好ましい。このときシクロオレフィン構造1単位につきエチレン単位が１であることが最も好ましいが、シクロオレフィン構造1単位につき2〜50のポリエチレン単位を含むブロック共重合体であっても良い。また、コポリマー作製持のモノマーを適宜選択することによりエチレン単位部の１水素がメチル，カルボキシル等の機能性基に置換されていても良い。
【００１９】
本発明において使用されるノルボルナン環を有するシクロオレフィンとエチレンとの非結晶性のコポリマーとしては、具体的には、以下に記載する化合物及びこれらの誘導体を挙げることができる。
【００２０】
ビシクロ［2.2.1］ヘプト-2-エン誘導体、トリシクロ［4.3.0.12,5］-3-デセン誘導体、トリシクロ［4.3.0.12,5］-3-ウンデセン誘導体、テトラシクロ［4.4.0.12,5.17,10］-3-ドデセン誘導体、ペンタシクロ［6.6.1.13,6.02,7.09,14］-4-ヘキサデセン誘導体、ペンタシクロ［6.5.1.13,6.02,7.09,13］-4-ヘキサデセン誘導体、ペンタシクロ［7.4.0.12,5.19,12.08,13］-3-ペンタデセン誘導体、ペンタシクロペンタデカジエン誘導体、ペンタシクロ［8.4.0.12,5.19,12.08,13］-3-ペンタデセン誘導体、ヘキサシクロ［6.6.1.13,6.110,13.02,7.09,14］-4-ヘプタデセン誘導体、ヘプタシクロ［8.7.0.13,6.110,17.112,15.02,7.011,16］-4-エイコセン誘導体、ヘプタシクロ［8.7.0.13,6.110,17.112,17.02,7.011,16］-5-エイコセン誘導体、ヘプタシクロ［8.8.0.14,7.111,18.113,16.03,8.012,17］-5-ヘンエイコセン誘導体、ヘプタシクロ［8.8.0.12,9.14,7.111,18.03,8.011,17］-5-ヘンエイコセン誘導体、オクタシクロ［8.8.0.12,9.14,7.111,18.03,8.012,17］-5-ドコセン誘導体、ノナシクロ［10.9.1.14,7.113,20.115,18.03,8.02,10.012,21.014,19］-5-ペンタコセン誘導体、ノナシクロ［10.10.1.15,8.114,21.116,19.02,11.04,9.013,22.015,20］-5-ヘキサコセン誘導体。
【００２１】
特にテトラシクロ［4.4.0.12,5.17,10］-3-ドデセン誘導体が液体成分の保存性と成形性及びコストの点から好ましく、更にその中でも8-エチルテトラシクロ［4.4.0.12,5.12,10］-3-ドデセンであることが最も好ましい。
【００２２】
ノルボルネン環の開環重合により作製されるノルボルネン系モノマーの具体例としては、ビシクロ［2.2.1］ヘプト-2-エン、6-メチルビシクロ［2.2.1］ヘプト-2-エン、5,6-ジメチルビシクロ［2.2.1］ヘプト-2-エン、1-メチルビシクロ［2.2.1］ヘプト-2-エン、6-エチルビシクロ［2.2.1］ヘプト-2-エン、6-ｎ-ブチルビシクロ［2.2.1］ヘプト-2-エン、6-イソブチルビシクロ［2.2.1］ヘプト-2-エン、7-メチルビシクロ［2.2.1］ヘプト-2-エン、等のビシクロ［2.2.1］ヘプト-2-エン誘導体等、トリシクロ［4.3.0.1］-3-デセン、2-メチルトリシクロ［4.3.0.12,5］-3-デセン、5-メチルトリシクロ［4.3.0.12,5］-3-デセン、等のトリシクロ［4.3.0.12,5］-3-デセン誘導体；トリシクロ［4.4.0.12,5］-3-ウンデセン、10-メチルトリシクロ［4.4.0.12,5］-3-ウンデセン、等のトリシクロ［4.4.0.12,5］-3-ウンデセン誘導体等を挙げることができ、これらモノマーの開環重合により作製されたポリマーを用いる。また、トリシクロ［4.3.0.12,5］-3,7-デカジエン、2,3-ジヒドロジシクロペンタジエン等のモノマーも使用でき、公知の開環重合により作製される。
【００２３】
本発明に使用可能なシクロオレフィン系非結晶ポリマーとしては、ノルボルネン環の開環重合により作製されるポリマー中にノルボルナン環を持つシクロオレフィン構造を有するものも使用可能であるが、更に、ノルボルナン環を持たず芳香環を持つノルボルネン系モノマーでも良く、例えば、5-フェニル-ビシクロ［2.2.1］ヘプト-2-エン（すなわち、5-フェニル-ノルボルネン）、5-メチル-5-フェニル-ビシクロ［2.2.1］ヘプト-2-エン、5-ベンジル-ビシクロ［2.2.1］ヘプト-2-エン、5-トリル-ビシクロ［2.2.1］ヘプト-2-エン、5-（エチルフェニル）-ビシクロ［2.2.1］ヘプト-2-エン、5-（イソプロピルフェニル）-ビシクロ［2.2.1］ヘプト-2-エン等のビシクロ［2.2.1］ヘプト-2-エン誘導体；1,4-メタノ-1,4,4a,9a-テトラヒドロフルオレン、1,4,-メタノ-1,4,4a,6,10,10a-ヘキサヒドロアントラセン等が挙げられる。このような芳香環を持つノルボルネン系モノマーを使用するときには、得られた開環重合体を水素添加し芳香環の炭素−炭素二重結合も水素添加により飽和化してシクロアルカン環に変換することが必要である。なお、本発明に係るシクロオレフィン系の非結晶性ポリマーは上記以外のモノマーにより作製されたポリマーであっても良いのは勿論である。
【００２４】
３は液体カップ２の出口穴2bを形成させる第２開口形成部2cとカプセル本体１の出口穴1bを形成させる第１開口形成部1cとを押し破るための棒状突起3aを有しており液体カップ２内のシリンダー形状部分に嵌合しているプランジャーである。このプランジャー３は液体カップ２の内部に収納された液体成分Ｂの特性を損なわない材質であり、第１及び第２開口形成部を開口可能な強度を持つ材質であれば特に構成素材を限定することなく用いることができる。
【００２５】
４は後端部4bがカプセル本体１の先端部1d外面と接続可能なようにカプセル本体１の先端部1dに対応する形状を有しているノズルであり、先端部4aは歯牙修復材を患者の修復すべき部位に投与し易いように先細で湾曲していることが好ましい。
【００２６】
前述したような構成部材から成る本発明に係る歯牙修復材用カプセルの使用方法について簡単に説明する。本発明に係る歯牙修復材用カプセルは、一定量の粉体成分Ａが混合区画室1a内に収納されたカプセル本体１の後端側開口部に、所定量の液体成分Ｂが液体成分収納室2a内に収納されプランジャー３により密封された液体カップ２が嵌合されており、カプセル本体１の先端部1d外面にはノズル４の後端部4bが接続されている。
【００２７】
このような構成にされている本発明に係る歯牙修復材用カプセルを用いるには、先ずカプセル本体１の混合区画室1aの後端側に嵌合されている液体カップ２の後端側に嵌合されているプランジャー３を指等でその先端が液体カップ２の先端部内面に当って停止するまで押し込む。この操作によって液体カップ２の液体成分収納室2aの先端部中心軸上の第２開口形成部2cがプランジャー３の棒状突起3aによって押し破られて出口穴2bが開口し、この出口穴2bを通じて液体成分Ｂが粉体成分Ａの収納されている混合区画室1aに完全に流入される（図２参照）。この際、液体カップ２の後端部近傍の外側面には凸状ストッパー2dが設けられているので、この凸状ストッパー2dがカプセル本体１の後端部に係合して液体カップ２がカプセル本体１内へ入り込むことはない。なお、液体カップ２の第２開口形成部2cはプランジャー３の棒状突起3aによって押し破られる際に、出口穴2bが薄膜状であるか又は円形でその周囲の略４分の３程度の切欠き2eが設けられていると、容易に押し破られ且つ液体カップ２から全体が千切れることを防止できる。
【００２８】
液体成分Ｂが液体成分収納室2a内から混合区画室1a内に完全に流入した後、本発明に係る歯牙修復材用カプセルを別途専用のミキサーに装着して粉体成分Ａと液体成分Ｂとを混合練和して混合練和物Ｃとする。粉体成分Ａと液体成分Ｂとの混合練和が完了すると、カプセル本体１の先端部付近の肩部をアプライヤーに係合させるか、カプセル本体１の後端部近辺の外周側面にアプライヤー係合溝1fが刻設されている場合はアプライヤー係合溝1fにアプライヤーの爪（図示せず）を係合させ、アプライヤーの押圧棒で液体カップ２と一体化したプランジャー３をカプセル本体１内で先端方向に移動させる。この操作によってカプセル本体１の先端部中心軸上の第１開口形成部1cがプランジャー３の棒状突起3aによって押し破られて出口穴1bが開口し、この出口穴1bを通じて混合練和物Ｃがノズル４内に流入する（図３参照）。カプセル本体１の開口形成部1cはプランジャー３の棒状突起3aによって押し破られる際に、出口穴1bが薄膜状であるか又は円形でその周囲の略４分の３程度の切欠き1eが設けられていると、容易に押し破られ且つカプセル本体１から全体が千切れることを防止できる。
【００２９】
この状態で、ノズル４の先端部4aを患者の窩洞等の歯牙修復部位に押し当ててアプライヤーを操作して液体カップ２と一体化したプランジャー３をカプセル本体１内で先端方向に更に移動させると、混合練和物Ｃはノズル４の先端部4aから押し出されて歯牙修復部位に充填されるのである。以上の図１〜３に示した実施例においてはノズル４の形状は先端部が先細で湾曲しておりカプセル本体１の先端部1dに対応する形状を成し、カプセル本体１の先端部1dに溶着固定により接続されている。なお、ノズル４のカプセル本体１への接続は、この実施例のように超音波やレーザや高周波等による溶着固着であっても、接着剤による接着固定であっても、ネジ部を形成した螺合固定であってもよく、固着方法は特に制限されない。
【図面の簡単な説明】
【００３０】
【図１】本発明に係る歯牙修復 材用カプセルの１実施例の説明用側断面図である。
【図２】図１の歯牙修復 材用カプセルにおける混合練和開始状態の説明用側断面図である。
【図３】図１の歯牙修復 材用カプセルにおける混合練和物の押出し状態を示す説明用側断面図である。
【符号の説明】
【００３１】
１ カプセル本体
1a 混合区画室
1b 出口穴
1c 第１開口形成部
1d 先端部
1e 切欠き
1f アプライヤー係合溝
２ 液体カップ
2a 液体成分収納室
2b 出口穴
2c 第２開口形成部
2d 凸状ストッパー
2e 切欠き
３ プランジャー
3a 棒状突起
４ ノズル
4a 先端部
4b 後端部
Ａ 粉体成分
Ｂ 液体成分
Ｃ 粉体成分と液体成分との混合練和物
【図１】
2007136012.tif 000003
【図２】
2007136012.tif 000004
【図３】
2007136012.tif 000005